(57)【要約】【課題】金車に着脱容易な金車用巻き込み防止装置を提供する。【解決手段】巻き込み防止装置１０は、ゴム板部材１、一対の帯板状の連結部材２・２、及び、一対の防護管３・３を備える。ゴム板部材１は、フック９３ｆが挿通自在な十字状の切れ目１ｃを中央部に有し、一対の第１留め具４ａ・４ａを両端部に有する。連結部材２は、第１留め具４ａと着脱自在な第２留め具４ｂを長手方向に連設し、フレーム９２をその上方から覆うことができる。防護管３は、一対の鍔部３ｆ・３ｆを外周の一部に設けている。一対の鍔部３ｆ・３ｆを開くと、ワイヤーロープＷｒをその外周方向から導入できる。一対の鍔部３ｆ・３ｆを閉じると、ワイヤーロープＷｒを内部に収容できる。防護管３は、鍔部３ｆと反対側の一方の端部に第１留め具４ａを設けている。巻き込み防止装置１０は、既設の金車９０に容易に着脱できる。【選択図】図１
2017132568.tif 000002
【特許請求の範囲】
【請求項１】
ワイヤーロープを巻き掛けした回転円盤、この回転円盤と回転自在に連結した支持軸を両軸支持するフレーム、及び、このフレームの基端部に固定したフックを備えた金車に身体の一部が巻き込まれることを防止する金車用巻き込み防止装置であって、
前記フックが挿通自在な十字状の切れ目を中央部に有し、一対の第１留め具を両端部に取り付けたゴム板部材と、
前記第１留め具と着脱自在な第２留め具を長手方向に連設し、前記フレームを上方から覆う一対の屈曲自在な帯板状の連結部材と、
前記ワイヤーロープをその外周方向から導入自在に開閉する一対の鍔部を外周の一部に有する一対の防護管と、を備え、
前記防護管は、前記鍔部と反対側の一方の端部に前記第１留め具を取り付けている、金車用巻き込み防止装置。
【請求項２】
前記防護管は、軸方向に伸縮自在な蛇腹部を他方の端部側に有している、請求項１記載の金車用巻き込み防止装置。
【請求項３】
前記防護管は、その本体部分が硬質の合成樹脂からなり、
前記蛇腹部が軟質の合成樹脂からなる、請求項２記載の金車用巻き込み防止装置。
【請求項４】
前記第１留め具は、雄型のジャンパーホックからなり、
前記第２留め具は、雌型のジャンパーホックからなる、請求項１から３のいずれかに記載の金車用巻き込み防止装置。
【発明の詳細な説明】
【技術分野】
【０００１】
本発明は、金車用巻き込み防止装置に関する。特に、金車とワイヤーロープとの間に指などの身体の一部が巻き込まれることを防止する金車用巻き込み防止装置の構造に関する。
【背景技術】
【０００２】
金車を鉄塔又は電柱の高所に設置し、回転円盤に巻き掛けしたワイヤーロープを引っ張ることで、工事資材又は工具などを地上から引き上げることができる。金車は、滑車の一種であり、ワイヤーロープを案内する回転円盤が剛体の金属製になっている。そして、金車は、堅固な構造になっているので、重量物を引き上げるのに適している。
【０００３】
ところで、ワイヤーロープを操作していると、金車とワイヤーロープとの間に指などの身体の一部が巻き込まれる心配がある。このため、作業員に巻き込みに対する注意を喚起して、指などの巻き込みを防止する金車用巻き込み防止装置が開示されている（例えば、特許文献１参照）。
【先行技術文献】
【特許文献】
【０００４】
【特許文献１】特開２０１１−１６８３８６号公報
【発明の概要】
【発明が解決しようとする課題】
【０００５】
図４は、従来技術による金車用巻き込み防止装置の構成を示す正面図である。図５は、従来技術による金車用巻き込み防止装置の構成を示す右側面図である。なお、本願の図４は、特許文献１の図４に相当し、本願の図５は、特許文献１の図５に相当している。
【０００６】
図４又は図５を参照すると、金車９０は、回転円盤９１、フレーム９２、及び支持軸９３を備えている。回転円盤９１は、ワイヤーロープＷｒを案内するＶ字状の溝９１ｖを外周に形成している。フレーム９２は、二股に分岐した支持金具９２ａと一対の側板９２ｂ・９２ｃで構成している。支持軸９３は、回転円盤９１と回転自在に連結している。
【０００７】
図４又は図５を参照すると、支持金具９２ａは、回転円盤９１を内部に収容している。そして、支持金具９２ａは、支持軸９３を両軸支持している。又、支持金具９２ａは、フック９ｈを基端部に固定している。一対の側板９２ｂ・９２ｃは、支持金具９２ａに固定されている。一対の側板９２ｂ・９２ｃは、回転円盤９１の両側面を案内している。
【０００８】
図４又は図５を参照すると、金車９０は、一組のステイ９４・９４を更に備えている。ステイ９４は、一対の側板９２ｂ・９２ｃの間に配置されている。又、ステイ９４は、支持金具９２ａの両側面からねじ止めされている。
【０００９】
図４又は図５を参照すると、従来技術による金車用巻き込み防止装置（以下、巻き込み防止装置と略称する）８は、帯板状の支持具８１と一対のコイルばね部材８２・８２で構成している。
【００１０】
図４を参照すると、支持具８１は、その中央部が支持軸９３に共締めされている。又、支持具８１は、その両端部が一対の側板９２ｂ・９２ｃの端縁から延出するように、配置されている。
【００１１】
図４又は図５を参照すると、コイルばね部材８２は、鋼線などを螺旋状に巻回して構成している。コイルばね部材８２は、巻回することなく延出した連結部８２１を一端部側に形成している。そして、連結部８２１は、支持具８１の端部に係留している。又、コイルばね部材８２は、軸方向に伸縮自在な巻回部８２２を他端部側に形成している。巻回部８２２は、その内部にワイヤーロープＷｒを収容している。
【００１２】
図４を参照して、ワイヤーロープＷｒを図中矢印の方向に移動すると、ワイヤーロープＷｒに追従して、一方の巻回部８２２は収縮し、他方の巻回部８２２は伸長する。
【００１３】
図４を参照すると、巻回部８２２が収縮するワイヤーロープＷｒの巻き込み側に指などが巻き込まれる可能性は高く、巻回部８２２が伸長するワイヤーロープＷｒの巻き出し側に指などが巻き込まれる可能性は低い。
【００１４】
特許文献１による巻き込み防止装置８は、ワイヤーロープＷｒをその外周方向から包囲する一対のコイルばね部材８２・８２を回転円盤９１の近傍に配置し、コイルばね部材８２の挙動から作業者に注意を喚起できることから、指などの巻き込みを防止できる、としている。
【００１５】
しかし、特許文献１による巻き込み防止装置８は、回転円盤９１の外径が変われば、つまり、金車９０のサイズが異なれば、別の適宜な支持具８１を用意して、金車に取り付ける必要がある。又、既設のワイヤーロープＷｒにコイルばね部材８２の巻回部８２２を取り付けることは容易でないという問題がある。
【００１６】
以上のことから、サイズの異なる金車に巾広く対応できるように汎用性があり、かつ、金車に着脱容易な、金車用巻き込み防止装置が求められている。そして、以上のことが本発明の課題といってよい。
【００１７】
本発明は、このような課題に鑑みてなされたものであり、サイズの異なる金車に巾広く対応できるように汎用性があり、かつ、金車に着脱容易な、金車用巻き込み防止装置を提供することを目的とする。
【課題を解決するための手段】
【００１８】
本発明者らは、フックが挿通自在なゴム板部材、フレームを上方から覆う一対の帯板状の連結部材、及び、ワイヤーロープをその外周方向から導入自在な一対の防護管で金車用巻き込み防止装置を構成し、これらの構成品を留め具で着脱自在に連結することで、これらの課題を解決できることを見出し、これに基づいて、以下のような新たな金車用巻き込み防止装置を発明するに至った。
【００１９】
（１）本発明による金車用巻き込み防止装置は、ワイヤーロープを巻き掛けした回転円盤、この回転円盤と回転自在に連結した支持軸を両軸支持するフレーム、及び、このフレームの基端部に固定したフックを備えた金車に身体の一部が巻き込まれることを防止する金車用巻き込み防止装置であって、前記フックが挿通自在な十字状の切れ目を中央部に有し、一対の第１留め具を両端部に取り付けたゴム板部材と、前記第１留め具と着脱自在な第２留め具を長手方向に連設し、前記フレームを上方から覆う一対の屈曲自在な帯板状の連結部材と、前記ワイヤーロープをその外周方向から導入自在に開閉する一対の鍔部を外周の一部に有する一対の防護管と、を備え、前記防護管は、前記鍔部と反対側の一方の端部に前記第１留め具を取り付けている。
【００２０】
（２）前記防護管は、軸方向に伸縮自在な蛇腹部を他方の端部側に有していることが好ましい。
【００２１】
（３）前記防護管は、その本体部分が硬質の合成樹脂からなり、前記蛇腹部が軟質の合成樹脂からなることが好ましい。
【００２２】
（４）前記第１留め具は、雄型のジャンパーホックからなり、前記第２留め具は、雌型のジャンパーホックからなることが好ましい。
【発明の効果】
【００２３】
本発明による金車用巻き込み防止装置は、フックが挿通自在なゴム板部材、フレームを上方から覆う一対の帯板状の連結部材、及び、ワイヤーロープをその外周方向から導入自在な一対の防護管で金車用巻き込み防止装置を構成し、これらの構成品を留め具で着脱自在に連結することで、サイズの異なる金車に巾広く対応できるように汎用性があり、かつ、金車に容易に着脱できる。
【図面の簡単な説明】
【００２４】
【図１】本発明の一実施形態による金車用巻き込み防止装置の構成を示す正面図である。
【図２】前記実施形態による金車用巻き込み防止装置の構成を示す右側面図である。
【図３】前記実施形態による金車用巻き込み防止装置の構成を示す分解組立図である。
【図４】従来技術による金車用巻き込み防止装置の構成を示す正面図である。
【図５】従来技術による金車用巻き込み防止装置の構成を示す右側面図である。
【発明を実施するための形態】
【００２５】
以下、図面を参照して本発明を実施するための形態を説明する。
［金車用巻き込み防止装置の構成］
最初に、本発明の一実施形態による金車用巻き込み防止装置の構成を説明する。
【００２６】
図１は、本発明の一実施形態による金車用巻き込み防止装置の構成を示す正面図である。図２は、前記実施形態による金車用巻き込み防止装置の構成を示す右側面図である。図３は、前記実施形態による金車用巻き込み防止装置の構成を示す分解組立図である。
【００２７】
なお、従来技術で使用した符号と同じ符号を付した構成品は、その作用を同じにするので、説明を省略する場合がある。
【００２８】
（全体構成）
図１から図３を参照すると、本発明の一実施形態による金車用巻き込み防止装置（以下、巻き込み防止装置と略称する）１０は、ゴム板部材１、一対の屈曲自在な帯板状の連結部材２・２、及び、一対の防護管３・３を備えている。ゴム板部材１は、フック９３ｆが挿通自在な十字状の切れ目１ｃを中央部に設けている（図３参照）。又、ゴム板部材１は、一対の第１留め具４ａ・４ａを両端部に取り付けている（図３参照）。
【００２９】
図１から図３を参照すると、連結部材２は、第１留め具４ａと着脱自在な第２留め具４ｂを長手方向に連設している。連結部材２は、フレーム９２をその上方から覆うことができる。
【００３０】
図１から図３を参照すると、防護管３は、一対の鍔部３ｆ・３ｆを外周の一部に設けている。一対の鍔部３ｆ・３ｆを開くと、ワイヤーロープＷｒをその外周方向から導入できる。一対の鍔部３ｆ・３ｆを閉じると、ワイヤーロープＷｒを内部に収容できる。防護管３は、鍔部３ｆと反対側の一方の端部に第１留め具４ａを設けている。
【００３１】
（ゴム板部材の構成）
次に、実施形態によるゴム板部材１の構成を説明する。図３を参照すると、ゴム板部材１は、その外形を楕円状に形成している。図１又は図２を参照すると、フック９３ｆが切れ目１ｃから突出するように、ゴム板部材１をフレーム９２に搭載することができ、ゴム板部材１の両端部に一対の連結部材２・２を連結できる。
【００３２】
図３を参照して、第１留め具４ａは、雄型のジャンパーホックからなることが好ましい。第２留め具４ｂは、雌型のジャンパーホックからなることが好ましい。第１留め具４ａ及び第２留め具４ｂは、市販のジャンパーホックを使用できる。
【００３３】
図１又は図３を参照して、一対の第１留め具４ａ・４ａが外側に向くように、ゴム板部材１をフレーム９２に搭載することが好ましく、連結部材２を容易に着脱できる。
【００３４】
（連結部材の構成）
次に、実施形態による連結部材２の構成を説明する。図３を参照して、連結部材２は、その一方の端部の最遠端に位置する第２留め具４ｂをゴム板部材１の第１留め具４ａに嵌合することが好ましい（図１又は図２参照）。回転円盤９１の外径に対応して、最遠端に位置する第２留め具４ｂ以外の第２留め具４ｂを選択して、防護管３に設けた第１留め具４ａに嵌合できる。
【００３５】
図１から図３を参照して、連結部材２は、屈曲自在な可撓性を有する素材からなることが好ましく、皮革、複数の繊維を織った布体、合成樹脂板、金属板など中からいずれか一つを選択することができ、これらの素材を複合したものであってもよい。
【００３６】
図１を参照して、連結部材２を屈曲自在な可撓性を有する素材で構成することで、回転円盤９１を中心として開角する一対のワイヤーロープＷｒの開角度に対応できる。例えば、巻き込み防止装置１０は、送電線に係留する緊線ワイヤに作用する張力を支持させながら、緊線ワイヤの伸展方向を変える「飛び金車」にも適用できる。
【００３７】
（防護管の構成）
次に、実施形態による防護管３の構成を説明する。図１から図３を参照して、防護管３は、架空配電線を保護する防護管と同じ構成を有することが好ましく、一対の鍔部３ｆ・３ｆを開くと、ワイヤーロープＷｒをその外周方向から導入でき、一対の鍔部３ｆ・３ｆを閉じると、ワイヤーロープＷｒを内部に収容できる。
【００３８】
図１から図３を参照して、防護管３は、軸方向に伸縮自在な蛇腹部３ｂを他方の端部側に有することが好ましく、ワイヤーロープＷｒを把持して引き込まれたときに、蛇腹部３ｂに片手が当接することで、衝撃を緩和できる。
【００３９】
図１を参照して、一対の防護管３・３は、それらの鍔部３ｆ・３ｆが対向するように配置することが好ましく、それらの第１留め具４ａ・４ａが相反する向きに向かうように配置することが好ましい。異なる太さのワイヤーロープＷｒに対応できるように、防護管３の内径は、十分に大きいことが好ましい。
【００４０】
図１から図３を参照して、防護管３は、その本体部分を硬質の合成樹脂で構成することが好ましく、蛇腹部３ｂを軟質の合成樹脂で構成することが好ましい。
【００４１】
［金車用巻き込み防止装置の作用］
次に、実施形態による巻き込み防止装置１０の作用及び効果を説明する。図１から図３を参照すると、実施形態による巻き込み防止装置１０は、ワイヤーロープＷｒをその外周方向から覆う防護管３を備えているので、金車９０とワイヤーロープＷｒとの間に指などの身体の一部が巻き込まれることを防止できる。
【００４２】
又、図１から図３を参照すると、実施形態による巻き込み防止装置１０は、フック９３ｆを挿通できるゴム板部材１と、ゴム板部材１の両端部に着脱自在な一対の連結部材２・２と、連結部材２に着脱自在に連結できる防護管３を備えているので、既設の金車９０に容易に着脱できる。
【００４３】
図１から図３を参照すると、実施形態による巻き込み防止装置１０は、防護管３に設けた第１留め具４ａに着脱自在な第２留め具４ｂを連結部材２の長手方向に連設しているので、回転円盤９１の外径に対応して、最適な第２留め具４ｂを選択できる。実施形態による巻き込み防止装置１０は、サイズの異なる金車に巾広く対応でき、汎用性がある。
【００４４】
図１から図３を参照すると、連結部材２を屈曲自在な可撓性を有する素材で構成することで、回転円盤９１を中心として開角する一対のワイヤーロープＷｒの開角度に対応できる。例えば、巻き込み防止装置１０は、送電線に係留する緊線ワイヤに作用する張力を支持させながら、緊線ワイヤの伸展方向を変える「飛び金車」にも適用できる。
【００４５】
本発明による金車用巻き込み防止装置は、以下の効果が期待できる。
（１）既存の金車を改造することなく、金車に設置できる。
（２）サイズの異なる金車に巾広く対応できる。
（３）軽量かつ、容易に金車に着脱できるので、作業効率に優れている。
（４）ワイヤーロープを防護管で覆っているので、身体の一部が金車に巻き込まれることを防止できる。
（５）視認が容易であり、作業者に注意を喚起できる。
【符号の説明】
【００４６】
１  ゴム板部材
１ｃ  切れ目
２・２  一対の連結部材
３・３  一対の防護管
３ｆ  鍔部
４ａ  第１留め具
４ｂ  第２留め具
１０  巻き込み防止装置（金車用巻き込み防止装置）
９０  金車
９１  回転円盤
９３  支持軸
９３ｆ  フック
Ｗｒ  ワイヤーロープ
【図１】
2017132568.tif 000003
【図２】
2017132568.tif 000004
【図３】
2017132568.tif 000005
【図４】
2017132568.tif 000006
【図５】
2017132568.tif 000007